(57)【特許請求の範囲】
【請求項１】
装置本体の下部に位置する給紙手段と、前記装置本体の上部に位置する排出手段との間に用紙搬送路を配置してなる画像形成装置において、
前記用紙搬送路の一部を構成するとともに、開位置と閉位置とをとるように、前記画像形成装置の側部に回転自在に支持され、前記画像形成装置のカバーを構成する側部カバー部材と、
前記側部カバー部材のさらに外側で、開状態にある開位置と、前記側部カバー部材と摺動状態をとる摺動位置との間で、前記画像形成装置に回転自在に支持される両面ユニットと、を備え、
前記両面ユニットは、前記両面ユニットを前記画像形成装置に固定するための固定手段と、前記画像形成装置に対して前記両面ユニットを外側に付勢するとともに、前記カバー部材を前記画像形成装置側に付勢する付勢手段とを有しており、
さらに、前記付勢手段は、開位置にある前記カバー部材を前記閉位置に回転させて、前記カバー部材を前記画像形成装置側に付勢しようとする際、前記カバー部材の回転支持部とは反対側の先端部と当接するための傾斜部とを有しており、
前記開位置から前記摺動位置まで前記両面ユニットを前記画像形成装置側に回転させて、前記カバー部材を前記画像形成装置側に付勢する際、前記カバー部材は、前記カバー部材の前記先端部を前記付勢手段の前記傾斜部に当接させ、前記カバー部材の前記先端部を前記付勢手段の前記傾斜部に摺動させながら、前記画像形成装置側に回転することを特徴とする画像形成装置。
【発明の詳細な説明】
【技術分野】
【０００１】
本発明は、小型のレーザビームプリンタ等の画像形成装置において、用紙搬送路を開閉可能に設けて、ジャム処理の動作を容易に行い得るようにする装置に関し、特に、装置本体の側部カバー部材と用紙搬送路の開閉ガイド部材とを、連動させて開閉可能に設けてなる装置に関する。
【背景技術】
【０００２】
小型のレーザビームプリンタ等の画像形成装置においては、装置本体の下部に給紙トレイ等の給紙手段を配置し、装置の上部に配置する排出トレイとの間に略垂直な用紙搬送路を配置して、前記用紙搬送路に沿わせて用紙を搬送する途中で、トナー画像を用紙に転写し、定着装置を通して定着する機構を配置している。例えば、特許文献１に示される例では、レーザビームプリンタの本体下部に給紙部材を配置し、装置の上部に排出トレイを設けて、用紙搬送路を縦方向に構成し、その用紙搬送路に対してトナー画像形成部材と、定着装置等を配置して構成している。また、前記装置に対して両面・多重コピーの作成に対処させるために、本体の用紙排出路と給紙路の下部との間を接続する用紙反転ユニットを設けており、前記用紙反転ユニットを装置本体の側部に別体に配置して構成している。
【０００３】
そして、前記従来例の画像形成装置においては、コピーとして作成した用紙を排出トレイに向けて直接排出させ、画像面を下に向けた状態で排出させることができるようにする。また、前記排出トレイに排出させる系統を用いて用紙を反転させ、反対側に設けた排出トレイに対して、コピー面を上に向けた状態で排出させることもできるようにしている。さらに、反転排出系統を介して、用紙反転ユニットに向けて用紙を送り込み、用紙の裏面に別の画像を転写して、両面コピーを作成してから排出トレイに排出させることも可能になっている。したがって、前述したような画像形成装置を構成することにより、小型のレーザビームプリンタの機能を拡充することが可能であり、ユーザーの多様な要求に対応させることができるものとされる（例えば、特許文献１を参照）。
【特許文献１】特開平６−２５０４６４号公報
【特許文献２】特開平３−３９７５８号公報
【発明の開示】
【発明が解決しようとする課題】
【０００４】
前述したような画像形成装置においては、装置全体が非常にコンパクトに構成されているために、用紙搬送路内でジャムが発生した場合に、用紙の処理の作業が面倒であるという問題が残っている。例えば、用紙反転ユニットを装備すると、本体の用紙搬送路内でジャムが発生した場合に、用紙反転ユニットを装置本体から取り外し、その後で本体の用紙搬送路を開放する動作を行う等の面倒な手順を踏んで、ジャム処理を行う必要があった。したがって、装置本体の用紙搬送路に配置するガイド部材やローラ部材等が、非常に密接された状態で配置されているために、それ等の部材の間からジャム紙を除去する作業が面倒であり、オペレータに対して余分な負担を強いるという問題があった。
【０００５】
また、前述したような従来例（特許文献１）とは別に、前記特許文献２に示される例では、装置本体の上部に２つの給紙トレイを配置して、上から下に向けて用紙を搬送する用紙搬送路を構成し、感光体ドラムと定着装置をそれぞれ設けている。前記画像形成装置においては、装置本体の側部に別体に構成した用紙ガイド部材を配置し、給紙トレイと平行に配置した反転トレイ部材を用いて、両面コピーの作成の動作に対処させる手段を構成している。しかしながら、前述したように、用紙の反転機構を着脱可能に構成した場合でも、本体の用紙搬送路内でのジャム処理に際しては、用紙ガイド部材を本体に対して取り外してから、本体の用紙搬送路を開放する動作を行わなければならず、オペレータの負担が軽減されることはない。前述したように、従来の小型の画像形成装置においては、装置本体の用紙搬送路を開閉する際に、別体に装備する用紙反転ユニット等を措置本体に対して着脱する等の余分な作業を行う必要があり、ジャム処理が面倒であるという問題が残ったままである。
【０００６】
本発明は、前述したような従来の小型の画像形成装置の装置本体、または、別体に構成したユニットの用紙搬送路でのジャム処理の問題を解消するもので、用紙搬送路の開閉の動作を容易に行い得る機構を提供することを目的としている。
【課題を解決するための手段】
【０００７】
本発明は、装置本体の下部に位置する給紙手段と、前記装置本体の上部に位置する排出手段との間に用紙搬送路を配置してなる画像形成装置に関する。
本発明においては、前記用紙搬送路の一部を構成するとともに、開位置と閉位置とをとるように、前記画像形成装置の側部に回転自在に支持され、前記画像形成装置のカバーを構成する側部カバー部材と、
前記側部カバー部材のさらに外側で、開状態にある開位置と、前記側部カバー部材と摺動状態をとる摺動位置との間で、前記画像形成装置に回転自在に支持される両面ユニットと、を備え、
前記両面ユニットは、前記両面ユニットを前記画像形成装置に固定するための固定手段と、前記画像形成装置に対して前記両面ユニットを外側に付勢するとともに、前記カバー部材を前記画像形成装置側に付勢する付勢手段とを有しており、
さらに、前記付勢手段は、開位置にある前記カバー部材を前記閉位置に回転させて、前記カバー部材を前記画像形成装置側に付勢しようとする際、前記カバー部材の回転支持部とは反対側の先端部と当接するための傾斜部とを有しており、
前記開位置から前記摺動位置まで前記両面ユニットを前記画像形成装置側に回転させて、前記カバー部材を前記画像形成装置側に付勢する際、前記カバー部材は、前記カバー部材の前記先端部を前記付勢手段の前記傾斜部に当接させ、前記カバー部材の前記先端部を前記付勢手段の前記傾斜部に摺動させながら、前記画像形成装置側に回転することを特徴とする。
【発明の効果】
【０００８】
前述したように構成した本発明の画像形成装置においては、装置本体の側部に配置したカバー部材と一体に用紙搬送路の開閉ガイド板部材を構成し、側部カバーを開閉する動作により、用紙搬送路の開放を行うことができる。また、装置本体の開閉カバー部材の外側に、反転搬送ユニットを配置して両面コピーの作成に対応させる場合に、前記反転搬送ユニットを、装置本体に設けた支軸を介して揺動可能に設け、反転搬送ユニットを揺動させた状態で、本体の用紙搬送路を開閉することが可能である。前記構成に加えて、本発明の反転搬送ユニットでは、ユニット本体に設ける用紙搬送路に対して、一方の側のガイド部材を固定して配置し、他方のガイド部材を開閉可能に設けているので、反転搬送ユニットを本体に対して揺動させた後で、用紙搬送路を容易に開閉させることができる。そして、前記反転搬送ユニットに設ける用紙搬送路に対して、ローラ部材とガイド板部材等の位置決めを自動的に行う機構を配置して、ジャム処理の後で、用紙搬送路に配置する各構成部材を各々位置決めすることが可能になる。
【発明を実施するための最良の形態】
【０００９】
以下に説明する画像形成装置の用紙搬送装置においては、装置本体の側部に配置したカバー部材と一体に用紙搬送路の開閉ガイド板部材を構成し、側部カバー部材を開閉する動作により、用紙搬送路を開放可能に構成している。また、装置本体の開閉カバー部材の外側に、用紙反転ユニットを配置して両面コピーの作成に対応させる場合に、前記用紙反転ユニットを、装置本体に設けた支軸を介して揺動可能に設け、用紙反転ユニットを揺動させた状態で、本体の用紙搬送路を開閉することを可能にする。そして、装置本体に対する開閉カバー部材の開閉の動作に連動させて、用紙搬送路を開放可能に構成できて、別体に構成した用紙反転ユニットの用紙搬送路の開閉を容易に行うことができ、ユニットを正規の位置に位置決めする動作により、用紙搬送路の構成部材を正確に位置決めできるような装置として構成するものである。
【実施例】
【００１０】
図示される例にしたがって、本発明の画像形成装置の用紙搬送装置を説明する。図１に示す例は、レーザビームプリンタとして構成した画像形成装置を示しており、画像形成装置１の本体２には、下部に給紙トレイ３を、上部に排出トレイ２５を配置している。また、装置本体の内部には、給紙トレイ３に対応させて給紙装置４を配置し、前記給紙装置４を、ピックアップローラ４ａと用紙さばき装置５を組み合わせて構成し、前記用紙さばき装置５を給紙ローラ５ａとさばきローラ５ｂにより構成し、用紙を１枚ずつ給紙する手段を構成している。さらに、前記給紙装置の下流部には、略垂直に構成した用紙搬送路６を配置し、感光体ドラム１０の上流部にレジストローラ装置７を配置して、給紙装置４との間で用紙にループを形成して、用紙整合作用を行う機構を構成している。
【００１１】
前記用紙搬送路６は両側にガイド板１６、１７を所定の間隔を介して対向させて配置し、前記ガイド板に規制される用紙搬送路に対して、レジストローラ装置７と、感光体ドラム１０と転写ローラ１５を配置している。そして、レジストローラ装置において整合された用紙を、感光体ドラムからの画像転写部に向けて搬送し、感光体ドラムに形成したトナー画像を、転写ローラ１５から電圧を印加することにより用紙に転写し、定着装置２０に向けて送り出すようにする。また、前記感光体ドラム１０に対応させて、現像装置１１とクリーニング装置１２を配置しており、さらに、図示を省略した帯電装置と、画像書き込み装置１３を設けている。そして、画像処理装置１４から出力される画像情報にもとづいて、画像書き込み装置１３からレーザ光を出力し、帯電装置により一様な帯電が行われた感光体ドラムに対して、画像の書き込みを行って静電潜像を形成し、現像装置からトナーを供給してトナー画像として可視像化させるようにし、転写ローラ１５を用いて用紙に画像を転写させる。
【００１２】
前記画像転写部の上部に配置する定着装置２０は、一般の小型の画像形成装置に用いている定着装置と同様に、熱ローラ方式の装置として構成されているもので、熱ローラと加圧ローラの間にトナー画像を担持する用紙を通して、トナー画像を用紙に定着し、コピーとして排出させるようにする。前記定着装置の上にはゲート２１を配置し、排出トレイ２５に対応する排出ローラ装置２２と、排出ローラ装置２３を介して排出させる２つの系統に用紙を繰り出すことができるようにする。また、前記排出トレイ２５に対応する排出ローラ装置２２は、正逆駆動ローラとして構成されており、両側の排出ローラ装置２２、２３を接続する反転路２４を設けている。
【００１３】
そして、用紙を反転させる際には、定着装置２０から排出される用紙をゲート２１を介して排出ローラ装置２２に向けて案内し、用紙の後端部が排出ローラ装置にニップされている状態で、前記ローラ装置を反対方向に駆動を切り換えて、用紙を反転路２４を介して排出ローラ装置２３側に搬送し、前記排出ローラ装置２３を介して図示を省略した排出トレイに排出させることができる。したがって、装置本体２の上部に配置する排出トレイ２５に向けて直接排出させる場合、および、反転路２４を介して排出ローラ装置２３から図示を省略した排出トレイに排出させる場合のいずれの状態でも、画像面が下を向いた状態で堆積されるようになる。さらに、定着装置の上部に配置するゲート２１を介して排出ローラ装置２３に向けて直接用紙を排出させる場合には、用紙の画像面が上を向いた状態で排出トレイ等に堆積させることができる。なお、前記画像形成装置においては、後述するように、排出ローラ装置２３の排出路と、レジストローラ装置の上流部とを、用紙反転ユニットを介して接続することにより、両面・多重コピーを作成可能な装置を構成することもできる。
【００１４】
前記図１の画像形成装置１において、用紙搬送路６を構成するガイド板等の一方の部材は、図２に示すように、側部カバー部材１８に対して一体に設けている。前記側部カバー部材１８の下部は、装置本体に対して支軸１９を介して揺動可能に設けており、用紙搬送路６の一方のガイド板１７とレジストローラ装置７のピンチローラ９と、転写ローラ１５とをそれぞれ配置している。そして、前記２つのローラ９、１５に対して、対向するローラ８と感光体ドラムに向けて付勢するスプリング９ａ、１５ａをそれぞれ配置して、側部カバー部材１８を閉じた状態で、各ローラ装置を作動状態に組み合わせるようにする。前記構成に加えて、側部カバー部材１８には、装置本体の側に向けてロックレバー２７を突出させて配置し、装置本体に設けたロック部材（図示を省略）に対して、前記レバー部材を係止させることにより、ガイド板１７を固定位置に配置するガイド板１６に対して、各々位置決めすることができるようにする。
【００１５】
（反転搬送ユニットの構成）  図３に示す例においては、本発明の画像形成装置本体に対して、その側部カバー部材１８に沿わせる状態で、反転搬送ユニット３０を配置し、片面コピー用紙を反転させて画像記録部に向けて搬送し、両面コピーの作成に対応させる装置として構成している。前記反転搬送ユニット３０は、本体フレーム３１の下部に配置する支軸３２を介して、揺動可能に設けているが、前記支軸３２を支持するために、装置本体の下部から補助フレーム２８を突出させて配置し、装置本体の側部から離間した位置に支軸３２を配置することにより、後述するように、反転搬送ユニットの揺動の動作と側部カバー部材の開閉に支障が生じないようにされる。前記反転搬送ユニット３０に配置する用紙搬送路３３は、装置本体の排出ローラ装置２３と、レジストローラ装置７の上流部とを接続するものとして構成し、前記用紙搬送路３３には、複数の搬送ローラ装置３５〜３７を配置している。
【００１６】
前記反転搬送ユニットに配置する用紙搬送路は、本体フレーム３１に固定して設ける外側ガイド板３４と、内側ガイド板４２とを所定の間隔を介して配置して構成し、前記用紙搬送路３３の上部には、ゲート４８を介して直接排出するための排出ローラ装置に向けた搬送路を構成している。前記反転搬送ユニット３０の本体フレーム３１には、支軸４１を介して揺動可能に内側フレーム部材４０を設けており、前記内側ガイド板４２は内側フレーム部材４０の開閉の動作により、用紙搬送路を開閉できるようにされる。また、前記外側ガイド板３４と内側ガイド板４２の間隔を規制するために、規制ブロック部材３８を本体フレームに設けており、反転搬送ユニットの本体フレーム３１に対して内側フレーム部材４０を閉じた状態で、前記規制ブロック部材３８を介して両ガイド板の間隔を規制するようにしている。さらに、反転搬送ユニット３０に対して内側フレーム部材４０を位置決めするために、内側フレーム部材４０にスプリング４４を介して押圧部材４３を配置しており、前記押圧部材４３の突出側先端部を画像形成装置１の本体の側部に押圧する状態で、スプリング４４を介して内側フレーム部材４０を反転搬送ユニットの本体フレームに向けて付勢し、２つのガイド板３４、４２の間隔を設定できるようにしている。
【００１７】
前述したように構成した反転搬送ユニット３０では、装置本体で定着装置２０を通って定着された用紙を、両面モードや多重モードに対応させて、反転搬送ユニット３０の用紙搬送路３３を通して画像転写部に向けて給紙することができる。例えば、両面コピーを作成する場合には、定着装置２０から排出される用紙を、ゲート２１を介して排出ローラ装置２２に向けて送り、用紙の後端部が排出ローラ装置２２にニップされる状態で、前記排出ローラ装置２２を逆転駆動し、反転路２４を介して反転搬送ユニット３０の用紙搬送路３３に向けて案内する。そして、前記反転搬送ユニットの用紙搬送路３３の下部から、画像形成装置１の用紙搬送路６に合流させ、レジストローラ装置７を介して整合し、感光体ドラムに対して用紙の裏面が対応する状態で画像の転写を行わせ、定着装置を通して定着し、両面コピーとして完成したものを排出トレイ２５に向けて排出させるようにする。また、多重コピーを作成する場合には、定着装置から排出される用紙を、ゲート２１を介して排出ローラ装置２３に向けて送り、反転搬送ユニット３０の用紙搬送路３３を通して装置本体の用紙搬送路６に合流させ、画像面に対して別の画像を転写させるようにする。
【００１８】
前記図３に示されるように、画像形成装置１の側部に配置する反転搬送ユニット３０は、図４に示されるように、本体フレーム３１を支軸３２を介して反時計方向に揺動させた後で、内側フレーム部材４０を支軸４１を介して時計方向に揺動させて、用紙搬送路を開放することができる。前記反転搬送ユニット３０を画像形成装置本体から揺動させる際には、本体に配置する係止部材（図示を省略）に対するロックレバー３９による係止を解除し、反転搬送ユニットを支軸３２を介して揺動させるが、前記反転搬送ユニット３０は、画像形成装置の装置本体に対して、支軸３２とロックレバー３９を介して支持されるように構成される。また、前記図４に示されるように、反転搬送ユニット３０の本体フレーム３１に配置する搬送ローラ装置は、駆動ローラ部材を外側ガイド板３４とともに配置しており、内側フレーム部材４０には内側ガイド板４２と搬送ローラ装置のピンチローラ部材４５〜４７をそれぞれ配置している。
【００１９】
前記ピンチローラ部材４５〜４７は、スプリング４５ａ、４６ａ……により、駆動ローラ部材に向けて付勢する手段を構成しており、図３に示すように、反転搬送ユニットのフレームに対して内側フレーム部材４０を位置決めした状態で、それぞれの搬送ローラ装置３５〜３７での用紙のニップ状態を設定できるようにする。また、前記内側フレーム部材４０に配置する押圧部材４３は、スプリング４４を介して内側フレーム部材に取り付けられており、押圧部材４３の先端部を画像形成装置の本体に押圧する状態で、内側フレーム部材の内側ガイド板４２を規制ブロック部材３８に向けて押圧させ、ガイド板の間隔を設定するが、前記押圧部材４３を規制ブロック部材３８に対応させて配置することにより、内側ガイド板の位置決めの動作を良好に行い得るようにすることが可能になる。
【００２０】
図５に示す例は、反転搬送ユニット３０を支軸３２を介して揺動させた後で、装置本体の側部カバー部材１８を開き、装置本体の用紙搬送路６でのジャム処理等を行う状態を示している。前記図５に示されるように、側部カバー部材１８を装置本体に対して支軸１９を介して開閉するが、そのためには、側部カバー部材１８に配置するロックレバー２７を本体の係止部材から外すようにする。つまり、前記側部カバー部材も、ロックレバー２７と支軸１９の２つの部材を用いて、装置本体に対して固定支持させるようにする。また、前記図５に示されるように、反転搬送ユニット３０の支軸３２を補助フレーム２８に配置して、反転搬送ユニットを揺動可能に設けた場合に、側部カバー部材１８の支軸１９との間隔を大きく設定するために、前記側部カバー部材１８を開放した状態では、カバー部材の上部分が押圧部材４３に当接する状態となる。
【００２１】
そして、前述したようにして、側部カバー部材を開いてジャム処理を行った後で、側部カバー部材１８を閉じようとする場合には、図６に示すように、反転搬送ユニット３０を装置本体の側に向けて押圧することにより行うことができる。つまり、図６に示すように、反転搬送ユニット３０を支軸３２を介して時計方向に揺動させることによって、反転搬送ユニットにより側部カバー部材を閉じる方向に押圧し、前記側部カバー部材の上の角の部分が押圧部材４３の斜面部４３ａに摺動しながら、閉じる方向に押圧されることになる。したがって、本発明の反転搬送ユニットでは、図５に示すようにして、反転搬送ユニット３０に対して内側フレーム部材４０を開く動作と、反転搬送ユニットを開いた後で、側部カバー部材を開く動作はそれぞれ別個に行うものの、側部カバー部材を閉じる際には、反転搬送ユニットのフレームに対して内側フレーム部材を閉じた後で、反転搬送ユニットを支軸を介して時計方向に揺動させるのみの動作で、側部カバー部材も同時に閉じることができる。そして、本発明においては、反転搬送ユニットを画像形成装置の側部の固定位置にまで揺動させ、反転搬送ユニットの上部に配置した規制ブロック部材３８を本体の係止部にロックさせることにより、反転搬送ユニットの用紙搬送路を構成するガイド板の位置決めの作用と、側部カバー部材を装置本体に位置決めする作用とを同時に行うことができる。
【００２２】
前述したように、本発明においては、画像形成装置本体の側部に用紙排出ユニット５０を配置して、排出トレイ５７に対して用紙の表裏を選択して配置させる装置を構成する場合を示している。前記図７に示す用紙排出ユニット５０においては、反転搬送ユニット３０の場合と同様に、装置本体の側部に突出させて設けた補助フレーム２８に対して、支軸部材を介して取り付け、装置本体の側部カバー部材とともに、用紙排出ユニットを揺動させ得るように構成している。前記用紙排出ユニット５０には、装置本体の排出ローラ装置２３に接続する反転路５３を配置し、用紙を直接排出するための排出ローラ装置５２に向ける経路と、反転路５３との切り換えを行うために、ゲート５１を配置している。
【００２３】
また、前記反転路５３には、複数の搬送ローラ装置５５、５５ａと、ゲート５６を配置し、前記搬送ローラ装置を正逆駆動ローラとして構成している。そして、反転路５３に送り込んだ用紙を、搬送ローラ装置５５、５５ａにより装置の下部に向けて搬送し、前記用紙の搬送方向後端部が、ゲート５６の位置を通過し終えた状態で、前記ローラ装置を逆転駆動するとともに、ゲートを図の鎖線位置に揺動させて、用紙を反転させた状態で排出トレイ５７に排出させるようにする。
【００２４】
前記用紙排出ユニット５０では、前記反転搬送ユニット３０の場合と同様に、外側ガイド板５４ａと、搬送ローラ装置の駆動ローラ部材とを配置する装置本体に対して、内側ガイド板５４とピンチローラ部材とを保持する内側フレーム部材を揺動可能に構成して、反転路内での用紙のジャム処理の動作に対応させることができる。また、前記反転路を構成するガイド板５４、５４ａの間隔を設定するために、前記反転搬送ユニットの場合と同様に、押圧部材５８をスプリングにより付勢する状態で配置し、押圧部材５８の先端部を装置本体の側部に押圧して位置決めする動作により、内側ガイド板５４と搬送ローラ装置のピンチローラ部材の位置決めを行い得るようにする。そして、前述したように構成した用紙排出ユニット５０を用いることにより、装置本体の用紙搬送路の開閉の動作と、用紙排出ユニットの内部でのジャム処理等を容易に行い得る装置を構成することができる。
【００２５】
前述したように構成した本発明の反転搬送ユニットまたは用紙排出ユニットにおいては、それ等のユニットの支軸を、補助フレーム２８を介して支持している。例えば、図８に示すように、前記補助フレーム２８に対して、手差しトレイ６０を装備した場合でも、反転搬送ユニットを揺動させた際に、反転搬送ユニットの端部が手差しトレイ６０に接触するような問題が生じない。つまり、本発明のユニットの装着位置を、ユニットの下部の本体から大きく離間した端部付近に配置することにより、図８に示すように、側部に配置する各種の作動部材が相互に干渉することを防止できるようにすることが可能になる。そして、側部に装備した用紙処理ユニットと、本体の側部カバー部材の揺動と開閉の動作により、装置本体の用紙搬送路と、ユニットの用紙搬送路とを、ユニットを閉じる方向に揺動させることによって、同時に設定することができる。なお、前述したような本発明においては、反転搬送ユニットまたは用紙排出ユニット等の任意のユニットを、装置本体の排紙路に接続することが可能である。
【図面の簡単な説明】
【００２６】
【図１】本発明の画像形成装置の構成を示す説明図である。
【図２】装置本体の側部カバー部材を開いた状態の説明図である。
【図３】装置本体の側部に反転搬送ユニットを配置する例の構成を示す説明図である。
【図４】反転搬送ユニットの用紙搬送路を開放した状態の説明図である。
【図５】反転搬送ユニットと側部カバー部材を同時に開いた状態の説明図である。
【図６】反転搬送ユニットを閉じる動作により側部カバー部材を同時に閉じる作用の説明図である。
【図７】装置本体の側部に用紙排出ユニットを配置する例の構成を示す説明図である。
【図８】装置本体の側部に配置するユニットと、その他の装置の関係を示す説明図である。
【符号の説明】
【００２７】
１    画像形成装置、  ２    装置本体、  ３    給紙トレイ、  ６    用紙搬送路、  ７    レジストローラ装置、  １０    感光体ドラム、  １５    転写ローラ、
１８    側部カバー部材、  ２０    定着装置、  ２１    ゲート、
２２・２３    排出ローラ装置、  ２５    排出トレイ、  ２８    補助フレーム、
３０    反転搬送ユニット、  ３１    本体フレーム、  ３３    用紙搬送路、
３８    規制ブロック部材、  ４０    内側フレーム部材、  ４３    押圧部材、
５０    用紙排出ユニット、  ５３    反転路、  ５７    排出トレイ、
５８    押圧部材、  ６０    手差しトレイ。
【図１】
0003582531.tif 000002
【図２】
0003582531.tif 000003
【図３】
0003582531.tif 000004
【図４】
0003582531.tif 000005
【図５】
0003582531.tif 000006
【図６】
0003582531.tif 000007
【図７】
0003582531.tif 000008
【図８】
0003582531.tif 000009